(57)【要約】      （修正有）【課題】被監視側のプライバシーを向上できるテレビ電話端末を提供する。【解決手段】被監視側端末１１０は、映像を撮影する複数のカメラと、前記複数の映像のうち１以上に対して、監視側端末への送信を禁止する映像禁止部２１２と、監視側端末からの呼び出しが第１設定時間２２１継続されたか否かを判定する呼び出し判定部２１１と、呼び出しが第１設定時間２２１継続された場合、当該呼び出しを行っている他のテレビ電話端末が、監視側端末であるか否かを認証する認証部２１４と、当該呼び出しを行っている他のテレビ電話端末が監視側端末である場合、複数のカメラにより取得された複数の映像のうち、映像禁止部２１２により禁止されている映像以外の映像を監視側端末に送信する送受信部２０１とを備える。【選択図】図３
0003143731.tif 000002
【実用新案登録請求の範囲】
【請求項１】
ネットワークを介して接続された他のテレビ電話端末との間で映像及び音声を送受信するテレビ電話端末であって、
映像を撮影する複数のカメラと、
使用者の操作に応じて、前記複数のカメラで撮影された複数の映像のうち１以上に対して、前記他のテレビ電話端末への送信を禁止する第１禁止手段と、
前記他のテレビ電話端末からの呼び出しが予め定められた時間継続されたか否かを判定する第１判定手段と、
前記第１判定手段により前記呼び出しが予め定められた時間継続されたと判定された場合、当該呼び出しを行っている他のテレビ電話端末が、予め定められたテレビ電話端末であるか否かを認証する認証手段と、
前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信する送信手段とを備える
ことを特徴とするテレビ電話端末。
【請求項２】
前記テレビ電話端末は、さらに、
前記使用者の操作により設定された第１時間の間、前記送信手段による前記他のテレビ電話端末への前記映像の送信を禁止する第２禁止手段を備え、
前記送信手段は、前記第２禁止手段により前記映像の送信が禁止されてない場合、かつ前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信する
ことを特徴とする請求項１記載のテレビ電話端末。
【請求項３】
前記第２禁止手段は、現在の時刻から、前記使用者の操作により設定された前記第１時間の間、前記送信手段による前記他のテレビ電話端末への前記映像の送信を禁止する
ことを特徴とする請求項２記載のテレビ電話端末。
【請求項４】
前記第２禁止手段は、前記使用者の操作により設定された第１時刻から第２時刻の間、前記送信手段による前記他のテレビ電話端末への前記映像の送信を禁止する
ことを特徴とする請求項２記載のテレビ電話端末。
【請求項５】
前記送信手段は、前記第２禁止手段により前記映像の送信が禁止されている場合、かつ前記第１判定手段により前記呼び出しが予め定められた時間継続されたと判定された場合、前記他のテレビ電話端末に前記映像の送信が禁止されている旨を表示させる信号を送信する
ことを特徴とする請求項２記載のテレビ電話端末。
【請求項６】
前記送信手段は、前記第２禁止手段により前記映像の送信が禁止されている場合、かつ前記第１判定手段により前記呼び出しが予め定められた時間継続されたと判定された場合、前記他のテレビ電話端末に前記映像の送信が禁止されている旨、及び、前記使用者により設定された当該映像の送信を禁止する理由を表示させる信号を送信する
ことを特徴とする請求項５記載のテレビ電話端末。
【請求項７】
前記テレビ電話端末は、さらに、
前記複数のカメラにより取得された複数の映像のうち、前記第１禁止手段により禁止されている映像以外の映像を合成することで、１つの映像データを生成する映像合成手段を備え、
前記送信手段は、前記認証手段により、当該呼び出しを行っている他のテレビ電話端末が、前記予め定められたテレビ電話端末であると認証された場合、前記映像合成手段により合成された映像データを前記他のテレビ電話端末に送信する
ことを特徴とする請求項１記載のテレビ電話端末。
【請求項８】
前記テレビ電話端末は、さらに、
複数の他のテレビ電話端末である複数の連絡先端末を記憶する連絡先記憶手段と、
使用者の操作に応じて、前記複数の連絡先端末のうちいずれかを呼び出し、当該連絡先端末の応答がない場合、当該複数の連絡先端末のうち他の連絡先端末に呼び出しを行う緊急時制御手段を備える
ことを特徴とする請求項１記載のテレビ電話端末。
【請求項９】
前記緊急時制御手段による呼び出しに、当該連絡先端末が応答した場合、前記緊急時制御手段は、前記送信手段に前記複数のカメラにより取得された複数の映像を当該連絡先端末に送信させる
ことを特徴とする請求項８記載のテレビ電話端末。
【請求項１０】
前記テレビ電話端末は、さらに、
当該テレビ電話端末と前記他のテレビ電話端末との間で映像及び音声の送受信を行う通信制御手段と、
前記映像及び音声の送受信において、前記他のテレビ電話端末により送信された映像を受信する受信手段とを備え、
前記送信手段は、前記映像及び音声の送受信において、前記複数のカメラのうち１以上で撮影された映像を前記他のテレビ電話端末に送信し、
前記テレビ電話端末は、さらに、
前記受信手段により受信された映像と、前記送信手段により送信された映像とを同時に表示する表示手段を備える
ことを特徴とする請求項１記載のテレビ電話端末。
【請求項１１】
前記テレビ電話端末は、さらに、
当該テレビ電話端末と前記他のテレビ電話端末との間で映像及び音声の送受信を行う第１通信モードと、第２通信モードとを制御する通信制御手段と、
前記映像及び音声の送受信において、前記他のテレビ電話端末により送信された映像を受信する受信手段と、
音声を取得する音声取得手段とを備え、
前記送信手段は、前記第１通信モードにおいて、前記複数のカメラのうち１以上で撮影された映像、及び前記音声取得手段により取得された音声を前記他のテレビ電話端末に送信し、前記第２通信モードにおいて、前記複数のカメラのうち１以上で撮影された映像、及び前記音声取得手段により取得された音声のうちいずれか一方を前記他のテレビ電話端末に送信し、かつ他方を前記他のテレビ電話端末に送信しない
ことを特徴とする請求項１記載のテレビ電話端末。
【請求項１２】
前記テレビ電話端末は、さらに、
前記他のテレビ電話端末により送信された音声を出音する出音部と、
前記他のテレビ電話端末に送信する音声を取得する音声取得部と、
使用者の操作が入力される操作部とが一体となった受話器を備え、
前記第１禁止手段は、前記操作部に入力された使用者の操作に応じて、前記複数の映像のうち１以上に対して、前記他のテレビ電話端末への送信を禁止する
ことを特徴とする請求項１記載のテレビ電話端末。
【請求項１３】
前記テレビ電話端末は、さらに、
前記他のテレビ電話端末により送信された映像を受信する受信手段と、
前記受信手段により受信された映像を表示する表示手段とを備え、
前記操作部は、複数のボタンを含み、
前記表示手段は、前記複数のボタンに対応する画像と、当該ボタンのそれぞれに対応付け、当該ボタンのそれぞれを押すことで生じる操作の内容とを表示する
ことを特徴とする請求項１２記載のテレビ電話端末。
【請求項１４】
ネットワークに接続された第１テレビ電話端末と第２テレビ電話端末とを含み、前記第１テレビ電話端末と前記第２テレビ電話端末との間で映像及び音声の送受信が行われるテレビ電話システムであって、
前記第１テレビ電話端末は、
映像を撮影する複数のカメラと、
使用者の操作に応じて、前記複数のカメラで撮影された複数の映像のうち１以上に対して、前記第２テレビ電話端末への送信を禁止する第１禁止手段と、
前記第２テレビ電話端末からの呼び出しが予め定められた時間継続されたか否かを判定する第１判定手段と、
前記第１判定手段により前記呼び出しが予め定められた時間継続されたと判定された場合、当該呼び出しを行っている他のテレビ電話端末が、予め定められたテレビ電話端末であるか否かを認証する認証手段と、
前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信する送信手段とを備え、
前記第２テレビ電話端末は、
前記送信手段により送信された映像を受信する受信手段と、
前記受信手段により受信された映像を表示する表示手段とを備える
ことを特徴とするテレビ電話システム。
【考案の詳細な説明】
【技術分野】
【０００１】
本考案は、テレビ電話端末及びテレビ電話システムに関し、特に、ネットワークを介して接続された他のテレビ電話端末との間で映像及び音声を送受信するテレビ電話端末に関する。
【背景技術】
【０００２】
近年、病院又は介護施設等から、自宅にいる患者又は被介護者を監視するテレビ電話システムが提案されている（例えば、特許文献１参照）。
【０００３】
また、近年では、核家族化が進み、都会で生活する子供家族が、田舎等で離れて生活する両親等の状態を、テレビ電話システムを用いてみまもるという要望が増している。
【０００４】
特許文献１記載のテレビ電話システムでは、監視側からの呼び出しに対して被監視側が応答しない場合、自動的に被監視側のテレビ電話端末を起動する。これにより、監視側からの呼び出しに対して被監視側が応答しない場合であっても、監視側は被監視側の様子を確認できる。
【特許文献１】特開平１１−１４６３７１号公報
【考案の開示】
【考案が解決しようとする課題】
【０００５】
しかしながら、特許文献１記載のテレビ電話システムでは、被監視側の要望によらず、つねにテレビ電話端末が起動されていた。これにより、被監視側の両親等のプライバシーが守られないという問題がある。
【０００６】
そこで、本考案は、被監視側のプライバシーを向上できるテレビ電話端末及びテレビ電話システムを提供することを目的とする。
【課題を解決するための手段】
【０００７】
上記目的を達成するために、本考案に係るテレビ電話端末は、ネットワークを介して接続された他のテレビ電話端末との間で映像及び音声を送受信するテレビ電話端末であって、映像を撮影する複数のカメラと、使用者の操作に応じて、前記複数のカメラで撮影された複数の映像のうち１以上に対して、前記他のテレビ電話端末への送信を禁止する第１禁止手段と、前記他のテレビ電話端末からの呼び出しが予め定められた時間継続されたか否かを判定する第１判定手段と、前記第１判定手段により前記呼び出しが予め定められた時間継続されたと判定された場合、当該呼び出しを行っている他のテレビ電話端末が、予め定められたテレビ電話端末であるか否かを認証する認証手段と、前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信する送信手段とを備える。
【０００８】
この構成によれば、予め定められた他のテレビ電話端末は、本考案に係るテレビ電話端末の使用者が応答できない場合に、当該テレビ電話端末が備える複数のカメラで撮影された映像を受信できる。これにより、例えば、本考案に係るテレビ電話端末を使用する高齢者等の被監視者に不測の事態が生じ、テレビ電話に出られない場合でも、監視者は、被監視者の様子を知ることができる。
【０００９】
さらに、本考案に係るテレビ電話端末では、被監視者の操作により、送信する映像を、複数のカメラで撮影された複数の映像のなかから選択できる。これにより、被監視者は、監視者に見られたくない映像の送信を禁止できるので、被監視者のプライバシーを向上できる。
【００１０】
また、前記テレビ電話端末は、さらに、前記使用者の操作により設定された第１時間の間、前記送信手段による前記他のテレビ電話端末への前記映像の送信を禁止する第２禁止手段を備え、前記送信手段は、前記第２禁止手段により前記映像の送信が禁止されてない場合、かつ前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信してもよい。
【００１１】
この構成によれば、本考案に係るテレビ電話端末では、被監視者の操作により、映像の送信を禁止できる。よって、被監視者のプライバシーを向上できる。
【００１２】
また、前記第２禁止手段は、現在の時刻から、前記使用者の操作により設定された前記第１時間の間、前記送信手段による前記他のテレビ電話端末への前記映像の送信を禁止してもよい。
【００１３】
この構成によれば、被監視者の予定に応じた第１時間を設定することで、第１時間中に被監視者に不測の事態が生じた場合には、第１時間経過後に、映像の送信の禁止が解除される。これにより、万が一、不測の事態が生じた場合には、第１時間後には監視者による監視を行えるので、被監視者の不測の事態の発生をいち早く発見できる。
【００１４】
また、前記第２禁止手段は、前記使用者の操作により設定された第１時刻から第２時刻の間、前記送信手段による前記他のテレビ電話端末への前記映像の送信を禁止してもよい。
【００１５】
この構成によれば、被監視者の生活習慣に合わせて、監視モードを禁止する時刻を設定することで、外出毎に毎回、監視モード禁止の設定を行う必要がなく、被監視者の利便性を向上できる。
【００１６】
また、前記送信手段は、前記第２禁止手段により前記映像の送信が禁止されている場合、かつ前記第１判定手段により前記呼び出しが予め定められた時間継続されたと判定された場合、前記他のテレビ電話端末に前記映像の送信が禁止されている旨を表示させる信号を送信してもよい。
【００１７】
この構成によれば、本考案に係るテレビ電話端末は、映像の送信が禁止されている時に、当該映像の送信を禁止している旨を、呼び出しを行った他のテレビ電話端末に表示する。これにより、本考案に係るテレビ電話端末は、被監視者が応答できないことによる、監視者の杞憂を低減できる。
【００１８】
また、前記送信手段は、前記第２禁止手段により前記映像の送信が禁止されている場合、かつ前記第１判定手段により前記呼び出しが予め定められた時間継続されたと判定された場合、前記他のテレビ電話端末に前記映像の送信が禁止されている旨、及び、前記使用者により設定された当該映像の送信を禁止する理由を表示させる信号を送信してもよい。
【００１９】
この構成によれば、本考案に係るテレビ電話端末は、映像の送信が禁止されている時に、当該映像の送信が禁止している旨及びその理由を、呼び出しを行った他のテレビ電話端末に表示する。これにより、本考案に係るテレビ電話端末は、被監視者が応答できないことによる、監視者の杞憂を低減できる。
【００２０】
また、前記テレビ電話端末は、さらに、前記複数のカメラにより取得された複数の映像のうち、前記第１禁止手段により禁止されている映像以外の映像を合成することで、１つの映像データを生成する映像合成手段を備え、前記送信手段は、前記認証手段により、当該呼び出しを行っている他のテレビ電話端末が、前記予め定められたテレビ電話端末であると認証された場合、前記映像合成手段により合成された映像データを前記他のテレビ電話端末に送信してもよい。
【００２１】
この構成によれば、本考案に係るテレビ電話端末は、複数の映像を１つの映像に合成した後に送信することで、送信データのデータ量を削減できる。
【００２２】
また、前記テレビ電話端末は、さらに、当該テレビ電話端末と前記他のテレビ電話端末との間で映像及び音声の送受信を行う通信制御手段と、前記映像及び音声の送受信において、前記他のテレビ電話端末により送信された映像を受信する受信手段とを備え、前記送信手段は、前記映像及び音声の送受信において、前記複数のカメラのうち１以上で撮影された映像を前記他のテレビ電話端末に送信し、前記テレビ電話端末は、さらに、前記受信手段により受信された映像と、前記送信手段により送信された映像とを同時に表示する表示手段を備えてもよい。
【００２３】
また、前記テレビ電話端末は、さらに、複数の他のテレビ電話端末である複数の連絡先端末を記憶する連絡先記憶手段と、使用者の操作に応じて、前記複数の連絡先端末のうちいずれかを呼び出し、当該連絡先端末の応答がない場合、当該複数の連絡先端末のうち他の連絡先端末に呼び出しを行う緊急時制御手段を備えてもよい。
【００２４】
この構成によれば、本考案に係るテレビ電話端末は、被監視者に緊急の事態が生じた場合に、１つの操作で、複数の連絡先端末に対する呼び出しを行える。
【００２５】
また、前記緊急時制御手段による呼び出しに、当該連絡先端末が応答した場合、前記緊急時制御手段は、前記送信手段に前記複数のカメラにより取得された複数の映像を当該連絡先端末に送信させてもよい。
【００２６】
この構成によれば、本考案に係るテレビ電話端末は、被監視者に緊急の事態が生じた場合に、連絡先端末に複数の映像を送信できる。これにより、連絡先端末において、被監視者の様子を詳細に把握できる。
【００２７】
また、前記テレビ電話端末は、さらに、当該テレビ電話端末と前記他のテレビ電話端末との間で映像及び音声の送受信を行う通信制御手段と、前記映像及び音声の送受信において、前記他のテレビ電話端末により送信された映像を受信する受信手段とを備え、前記送信手段は、前記映像及び音声の送受信において、前記複数のカメラのうち１以上で撮影された映像を前記他のテレビ電話端末に送信し、前記テレビ電話端末は、さらに、前記受信手段により受信された映像と、前記送信手段により送信された映像とを同時に表示する表示手段を備えてもよい。
【００２８】
この構成によれば、本考案に係るテレビ電話端末では、受信した通信相手の画像と、送信する自分の画像とが同時に表示されるので、使用者の利便性を向上できる。
【００２９】
また、前記テレビ電話端末は、さらに、当該テレビ電話端末と前記他のテレビ電話端末との間で映像及び音声の送受信を行う第１通信モードと、第２通信モードとを制御する通信制御手段と、前記映像及び音声の送受信において、前記他のテレビ電話端末により送信された映像を受信する受信手段と、音声を取得する音声取得手段とを備え、前記送信手段は、前記第１通信モードにおいて、前記複数のカメラのうち１以上で撮影された映像、及び前記音声取得手段により取得された音声を前記他のテレビ電話端末に送信し、前記第２通信モードにおいて、前記複数のカメラのうち１以上で撮影された映像、及び前記音声取得手段により取得された音声のうちいずれか一方を前記他のテレビ電話端末に送信し、かつ他方を前記他のテレビ電話端末に送信しない。
【００３０】
この構成によれば、本考案に係るテレビ電話端末は、使用者が通話の相手に映像を送信したくない場合には、音声のみを送信できる。また、本考案に係るテレビ電話端末は、通話の相手の耳が不自由等の場合には、映像のみを送信できる。これにより、本考案に係るテレビ電話端末は、送信するデータ量を削減できる。
【００３１】
また、前記テレビ電話端末は、さらに、前記他のテレビ電話端末により送信された音声を出音する出音部と、前記他のテレビ電話端末に送信する音声を取得する音声取得部と、使用者の操作が入力される操作部とが一体となった受話器を備え、前記第１禁止手段は、前記操作部に入力された使用者の操作に応じて、前記複数の映像のうち１以上に対して、前記他のテレビ電話端末への送信を禁止してもよい。
【００３２】
この構成によれば、高齢者等の被監視者にも、操作部のボタンを操作するだけの簡単な操作で、映像送信の禁止の設定が容易に行える。
【００３３】
また、前記テレビ電話端末は、さらに、前記他のテレビ電話端末により送信された映像を受信する受信手段と、前記受信手段により受信された映像を表示する表示手段とを備え、前記操作部は、複数のボタンを含み、前記表示手段は、前記複数のボタンに対応する画像と、当該ボタンのそれぞれに対応付け、当該ボタンのそれぞれを押すことで生じる操作の内容とを表示してもよい。
【００３４】
この構成によれば、高齢者等の被監視者にも、操作の内容に対応付けられたボタンを操作するだけの簡単な操作で、テレビ電話による通話、及び映像送信の禁止の設定が容易に行える。
【００３５】
また、本考案に係るテレビ電話システムは、ネットワークに接続された第１テレビ電話端末と第２テレビ電話端末とを含み、前記第１テレビ電話端末と前記第２テレビ電話端末との間で映像及び音声の送受信が行われるテレビ電話システムであって、前記第１テレビ電話端末は、映像を撮影する複数のカメラと、使用者の操作に応じて、前記複数のカメラで撮影された複数の映像のうち１以上に対して、前記第２テレビ電話端末への送信を禁止する第１禁止手段と、前記第２テレビ電話端末からの呼び出しが予め定められた時間継続されたか否かを判定する第１判定手段と、前記第１判定手段により前記呼び出しが予め定められた時間継続されたと判定された場合、当該呼び出しを行っている他のテレビ電話端末が、予め定められたテレビ電話端末であるか否かを認証する認証手段と、前記認証手段により、当該呼び出しを行っている他のテレビ電話端末が、前記予め定められたテレビ電話端末であると認証された場合、前記複数のカメラにより取得された複数の映像のうち、前記第１禁止手段により禁止されている映像以外の映像を前記他のテレビ電話端末に送信する送信手段とを備え、前記第２テレビ電話端末は、前記送信手段により送信された映像を受信する受信手段と、前記受信手段により受信された映像を表示する表示手段とを備える。
【００３６】
この構成によれば、予め定められた第２テレビ電話端末は、第１テレビ電話端末の使用者が応答できない場合に、当該第１テレビ電話端末が備える複数のカメラで撮影された映像を受信できる。これにより、例えば、第１テレビ電話端末を使用する高齢者等の被監視者に不測の事態が生じ、テレビ電話に出られない場合でも、監視者は、被監視者の様子を知ることができる。
【００３７】
さらに、本考案に係るテレビ電話システムでは、第１端末において、被監視者の操作により、送信する映像を、複数のカメラで撮影された複数の映像のなかから選択できる。これにより、被監視者は、監視者に見られたくない映像の送信を禁止できるので、被監視者のプライバシーを向上できる。
【考案の効果】
【００３８】
以上より、本考案は、被監視側のプライバシーを向上できるテレビ電話端末及びテレビ電話システムを提供できる。
【考案を実施するための最良の形態】
【００３９】
以下、本考案に係るテレビ電話システムの実施の形態について、図面を参照しながら詳細に説明する。
【００４０】
本考案の実施の形態に係るテレビ電話システムにおいて、監視側端末の呼び出しに被監視者が応答できない場合には、被監視側端末は、自動的に映像を監視側端末に送信する。さらに、複数のカメラで撮影された複数の映像から、送信する映像を被監視側端末で予め設定できる。これにより、被監視者のプライバシーを向上できる。
【００４１】
まず、本考案の実施の形態に係るテレビ電話システムの構成を説明する。
【００４２】
図１は、本考案の実施の形態に係るテレビ電話システムの構成を示す図である。
【００４３】
図１に示すテレビ電話システム１００は、被監視側端末１１０と、複数の監視側端末１２０Ａ及び１２０Ｂと、管理サーバ１３０と、一般端末１５０とを含む。なお、複数の監視側端末１２０Ａ及び１２０Ｂを特に区別しない場合は、監視側端末１２０と記す。
【００４４】
被監視側端末１１０と、複数の監視側端末１２０と、管理サーバ１３０と、一般端末１５０とは、インターネット等のネットワーク１４０を介して接続される。なお、図１では、ネットワーク１４０を介して、１台の被監視側端末１１０と、２台の監視側端末１２０と、１台の一般端末１５０とが接続されているが、ネットワーク１４０に接続される被監視側端末１１０、監視側端末１２０、及び一般端末１５０のそれぞれの数は、任意の数でよい。
【００４５】
テレビ電話システム１００において、被監視側端末１１０、複数の監視側端末１２０、及び一般端末１５０との間で、映像及び音声を送受信するテレビ電話通信が行われる。
【００４６】
また、被監視側端末１１０は、監視側端末１２０からの操作に応じて、カメラ１１３Ａ〜１１３Ｄで撮影された映像を監視側端末１２０に出力する監視モードの機能を有する。
【００４７】
被監視側端末１１０は、高齢者等の被監視者宅に設置され、当該被監視者が操作するテレビ電話端末である。
【００４８】
監視側端末１２０は、被監視者を監視する監視者が操作するテレビ電話端末である。例えば、監視側端末１２０は、高齢者をみまもる子供家族の自宅に設置されるテレビ電話端末である。例えば、監視側端末１２０Ａは長男宅に設置され、監視側端末１２０Ｂは長女宅に設置される。
【００４９】
一般端末１５０は、監視者及び被監視者以外の一般の使用者が操作するテレビ電話端末である。
【００５０】
管理サーバ１３０は、被監視側端末１１０、監視側端末１２０及び一般端末１５０の間のテレビ電話通信を制御する。具体的には、管理サーバ１３０は、テレビ電話システム１００に含まれる各テレビ電話端末のＩＰアドレスの割り振り及び管理を行う。また、管理サーバ１３０は、各テレビ電話端末からの要求に応じて、テレビ電話通信の接続を制御する。
【００５１】
被監視側端末１１０は、セットトップボックス（ＳＴＢ）１１１と、モニタ１１２と、複数のカメラ１１３Ａ〜１１３Ｄと、スピーカ１１４と、ハンディフォン１１５とを備える。なお、カメラ１１３Ａ〜１１３Ｄを特に区別しない場合は、カメラ１１３と記す。
【００５２】
ＳＴＢ１１１は、テレビ電話機能を有し、管理サーバ１３０の制御のもと、ネットワーク１４０を介した監視側端末１２０及び一般端末１５０とのテレビ電話通信を行う。また、ＳＴＢ１１１は、監視モードの制御を行う。
【００５３】
モニタ１１２は、通信相手から送信された画像を表示する。モニタ１１２は、例えば、一般家庭で用いられているテレビ受信機である。
【００５４】
カメラ１１３Ａは、例えば、モニタ１１２の近傍に設置され通話時の被監視者を撮影する。カメラ１１３Ｂ〜１１３Ｄは、補助用のカメラであり、それぞれ、被監視者の自宅の各部屋等に設置され、各部屋の様子を撮影する。例えば、カメラ１１３Ｂ〜１１３Ｄは、それぞれ、寝室、脱衣所及びトイレ等に設置される。
【００５５】
スピーカ１１４は、監視側端末１２０からの呼び出し等があった際の着信音を出音する。
【００５６】
ハンディフォン１１５は、テレビ電話通信時の被監視者の音声の取得及び通信相手の音声の出音を行う受話器の機能と、被監視者の操作を受け付ける機能とを有する。
【００５７】
図２は、ハンディフォン１１５の構成を示す図である。図２に示すように、ハンディフォン１１５は、操作部１１６と、出音部１１７と、音声取得部１１８とを備える。ハンディフォン１１５は、操作部１１６と、出音部１１７と、音声取得部１１８とが一体となった受話器である。
【００５８】
操作部１１６は、複数のボタンを含み、使用者の操作が入力される。出音部１１７は、テレビ電話通信時に通信相手のテレビ電話端末（以下、相手端末と記す。）から送信された音声を出音する。音声取得部１１８は、テレビ電話通信時に相手端末へ送信する音声を取得する。
【００５９】
また、ＳＴＢ１１１とモニタ１１２とは、例えば、ビデオ端子（ＲＣＡ端子）を介して接続される。なお、ＳＴＢ１１１とモニタ１１２とは、コンポーネント端子、Ｓ端子、Ｄ端子、又はＨＤＭＩ端子等を介して接続されてもよい。ＳＴＢ１１１と、カメラ１１３、スピーカ１１４及びハンディフォン１１５とは、ＵＳＢケーブル等で接続される。
【００６０】
監視側端末１２０は、パーソナルコンピュータ（ＰＣ）１２１と、カメラ１２２と、受話部１２３とを備える。
【００６１】
ＰＣ１２１は、テレビ電話機能を有し、管理サーバ１３０の制御のもと、ネットワーク１４０を介して被監視側端末１１０、他の監視側端末１２０及び一般端末１５０とのテレビ電話通信を行う。また、ＰＣ１２１は、監視モードにおける被監視側端末１１０から送信された画像を表示する。また、ＰＣ１２１は、キーボード及びマウス等による監視者の操作を受け付ける。
【００６２】
カメラ１２２は、例えば、ＰＣ１２１に接続されテレビ電話通信時の監視者の様子を撮影するウェブカメラ等である。
【００６３】
受話部１２３は、マイク付きヘッドフォンであり、テレビ電話通信時の監視者の音声の取得及び通信相手の音声の出音を行う。
【００６４】
また、一般端末１５０の構成は、例えば、監視側端末１２０と同様であり、説明は省略する。
【００６５】
次に、被監視側端末１１０の詳細な構成を説明する。
【００６６】
図３は、被監視側端末１１０の構成を示すブロック図である。
【００６７】
被監視側端末１１０は、送受信部２０１と、映像音声取得部２０２と、ユーザ操作取得部２０３と、通信制御部２０４と、表示出音部２０５と、緊急時制御部２０６と、監視制御部２１０とを備える。
【００６８】
なお、ＳＴＢ１１１は、ＣＰＵ等のプロセッサと、ＲＡＭ、ハードディスク又は不揮発性メモリ等の記憶部とを備える。図３に示す各処理部（送受信部２０１、映像音声取得部２０２、ユーザ操作取得部２０３、通信制御部２０４、表示出音部２０５、緊急時制御部２０６及び監視制御部２１０）の機能は、当該プロセッサが当該記憶部に記憶されるプログラムを実行することにより実現される。また、図３に示す各処理部による保持及び記憶機能は、当該記憶部を用いて実現される。なお、図３に示す各処理部の機能のうち一部又は全てを、ＳＴＢ１１１が備える専用の回路により実現してもよい。
【００６９】
送受信部２０１は、ネットワーク１４０及び管理サーバ１３０を介して、監視側端末１２０及び一般端末１５０との間で、映像データ、音声データ、及び呼び出し信号等の制御信号の送信及び受信を行う。
【００７０】
映像音声取得部２０２は、複数のカメラ１１３が撮影した映像データを取得する。また、映像音声取得部２０２は、ハンディフォン１１５の音声取得部１１８が取得した音声データを取得する。
【００７１】
ユーザ操作取得部２０３は、ハンディフォン１１５の操作部１１６に入力された使用者の操作を取得する。
【００７２】
通信制御部２０４は、当該被監視側端末１１０と、監視側端末１２０及び一般端末１５０との間のテレビ電話通信を制御する。具体的には、通信制御部２０４は、映像音声取得部２０２により取得された映像データ及び音声データを、送受信部２０１を介して、監視側端末１２０又は一般端末１５０に送信する。また、通信制御部２０４は、送受信部２０１が受信した監視側端末１２０又は一般端末１５０から送信された映像データ及び音声データを表示出音部２０５に出力する。
【００７３】
表示出音部２０５は、通信制御部２０４により出力された映像データをモニタ１１２に表示し、音声データをハンディフォン１１５の出音部１１７に出音させる。また、表示出音部２０５は、送受信部２０１が、監視側端末１２０又は一般端末１５０から呼び出し信号を受信した場合には、呼び出しを受けたことを示す着信音をスピーカ１１４に出音させる。
【００７４】
緊急時制御部２０６は、緊急モードの動作を制御する。
【００７５】
緊急時制御部２０６は、連絡先記憶部２０７を備える。連絡先記憶部２０７は、緊急モード時に用いられる複数の緊急連絡先のテレビ電話端末の情報を記憶する。
【００７６】
監視制御部２１０は、監視側端末１２０からの操作に応じて、カメラ１１３で撮影された映像データを監視側端末１２０に出力する監視モードの制御を行う。監視制御部２１０は、呼び出し判定部２１１と、映像禁止部２１２と、監視禁止部２１３と、認証部２１４と、映像合成部２１５とを備える。
【００７７】
呼び出し判定部２１１は、予め設定された第１設定時間２２１を保持する。呼び出し判定部２１１は、監視側端末１２０又は一般端末１５０からの呼び出しが第１設定時間２２１の間、継続したか否かを判定する。つまり、呼び出し判定部２１１は、第１設定時間２２１の間に、操作部１１６を介した使用者による着信応答の操作が入力されたか否かを判定する。
【００７８】
映像禁止部２１２は、使用者の操作に応じて、映像音声取得部２０２により取得された複数の映像データのうち１以上に対して、監視側端末１２０への送信を禁止する。
【００７９】
具体的には、映像禁止部２１２は、４つのカメラ１１３により撮影された４つの映像データのそれぞれ対応する４つの映像状態２２２を保持する。映像状態２２２は、対応する映像データの、監視モードにおける監視側端末１２０への送信を禁止する禁止状態、又は送信を許可する許可状態が設定される。
【００８０】
映像状態２２２は、使用者の操作に応じて設定される。映像禁止部２１２は、映像状態２２２が禁止状態の映像データの、監視モードにおける監視側端末１２０への送信を禁止する。また、映像禁止部２１２は、映像状態２２２が許可状態の映像データの、監視モードにおける監視側端末１２０への送信を許可する。
【００８１】
監視禁止部２１３は、監視状態２２３と、第２設定時間２２４とを保持する。
【００８２】
監視状態２２３は、監視モードでの監視側端末１２０への全ての映像データの送信を禁止する禁止状態、又は送信を許可する許可状態が設定される。監視状態２２３及び第２設定時間２２４は、使用者の操作に応じて設定される。
【００８３】
監視禁止部２１３は、監視状態２２３が許可状態の場合、監視モードでの監視側端末１２０への映像データの送信を許可する。また、監視禁止部２１３は、監視状態２２３が禁止状態の場合、監視モードでの監視側端末１２０への映像データの送信を、第２設定時間２２４の間、禁止する。また、監視禁止部２１３は、第２設定時間２２４が経過したのち、監視状態を禁止状態から許可状態に変更する。
【００８４】
認証部２１４は、呼び出し判定部２１１により、呼び出しが予め定められた第１設定時間の間、継続したと判定された場合に、当該呼び出しを行っているテレビ電話端末が、監視側端末１２０であるか否かを認証する。
【００８５】
映像合成部２１５は、監視モードにおいて、映像音声取得部２０２により取得された複数の映像データのうち映像禁止部２１２により送信が許可されているカメラ１１３で撮影された映像データを１つの映像データに合成する。映像合成部２１５により合成された映像データは、送受信部２０１を介して、監視側端末１２０に送信される。
【００８６】
次に、監視側端末１２０の構成を説明する。
【００８７】
図４は、監視側端末１２０の構成を示すブロック図である。
【００８８】
監視側端末１２０は、送受信部３０１と、映像音声取得部３０２と、ユーザ操作取得部３０３と、通信制御部３０４と、表示出音部３０５とを備える。
【００８９】
なお、ＰＣ１２１は、ＣＰＵ等のプロセッサと、ＲＡＭ、ハードディスク又は不揮発性メモリ等の記憶部とを備える。図４に示す各処理部（送受信部３０１、映像音声取得部３０２、ユーザ操作取得部３０３、通信制御部３０４、及び表示出音部３０５）の機能は、当該プロセッサが当該記憶部に記憶されるプログラムを実行することにより実現される。また、図４に示す各処理部による保持及び記憶機能は、当該記憶部を用いて実現される。なお、図４に示す各処理部の機能のうち一部又は全てを、ＰＣ１２１が備える専用の回路により実現してもよい。
【００９０】
送受信部３０１は、ネットワーク１４０及び管理サーバ１３０を介して、被監視側端末１１０、他の監視側端末１２０及び一般端末１５０との間で、映像データ、音声データ、及び呼び出し信号等の制御信号の送信及び受信を行う。
【００９１】
また、送受信部３０１は、監視モードにおいて被監視側端末１１０により送信された映像データを受信する。
【００９２】
映像音声取得部３０２は、カメラ１２２が撮影した映像データを取得する。また、映像音声取得部３０２は、受話部１２３が取得した音声データを取得する。
【００９３】
ユーザ操作取得部３０３は、ＰＣ１２１が備えるキーボード及びマウス等を介して入力された使用者の操作を取得する。
【００９４】
通信制御部３０４は、当該監視側端末１２０と、被監視側端末１１０、他の監視側端末、及び一般端末１５０との間のテレビ電話通信を制御する。具体的には、通信制御部３０４は、映像音声取得部３０２により取得された映像データ及び音声データを、送受信部３０１を介して、被監視側端末１１０又は一般端末１５０に送信する。また、通信制御部３０４は、送受信部３０１が受信した相手端末から送信された映像データ及び音声データを表示出音部３０５に出力する。
【００９５】
また、通信制御部３０４は、監視モードにおいて被監視側端末１１０により送信された映像データを表示出音部３０５に出力する。
【００９６】
表示出音部３０５は、通信制御部３０４により出力された映像データをＰＣ１２１が備えるモニタに表示し、音声データを受話部１２３に出音させる。
【００９７】
次に、本考案の実施の形態に係るテレビ電話システムの動作を説明する。
【００９８】
まず、被監視側端末１１０における各種設定動作を説明する。
【００９９】
図５は、テレビ電話通信時の被監視側端末１１０のモニタ１１２の表示例を示す図である。
【０１００】
図５に示すように、テレビ電話通信時に表示出音部２０５は、相手画像４０１と、電話帳４０２と、音量４０３と、自画像４０４と、操作ボタン４０５とを含む画像をモニタ１１２に表示する。
【０１０１】
相手画像４０１には、相手端末から送信された映像が表示される。また、相手画像４０１には、テレビ電話通信時を行っていない状態（以下、待機時と記す。）には動作状況等を示すメッセージが表示される。なお、待機時において、表示出音部２０５により表示される画像は、相手画像４０１に、動作状況等を示すメッセージが表示される点以外は、図５に示す画像と同様である。
【０１０２】
電話帳４０２には、予め登録された複数の通信相手が表示される。使用者は、通信相手に対応する項目を選択することで、テレビ電話通信を開始できる。例えば、図５に示す例では、電話帳４０２に「長男」、「長女」及び「管理人」が登録されている。
【０１０３】
また、電話帳４０２に示される複数の通信相手の項目は、それぞれ、オンライン状態４０２ａを含む。オンライン状態４０２ａには、相手端末が、テレビ電話通信を開始できる状態であるオンライン中であるか否かが示される。例えば、図５に示す例では、「長女」のテレビ電話端末がオンライン中であり、「長男」及び「管理人」のテレビ電話端末がオフライン中である。
【０１０４】
音量４０３は、テレビ電話通信時の通話音量を示す。
【０１０５】
自画像４０４には、複数のカメラ１１３Ａ〜１１３Ｄで撮影された映像が表示される。つまり、自画像４０４には、テレビ電話通信時に、相手端末へ送信する画像が表示される。自画像４０４は、複数のカメラ１１３Ａ〜１１３Ｄで撮影された４つの映像データが表示されるカメラ映像４０４ａ〜４０４ｄを含む。また、各カメラ映像４０４ａ〜４０４ｄは、それぞれ表示情報４０４ｅを含む。
【０１０６】
各表示情報４０４ｅは、カメラ映像４０４ａ〜４０４ｄに対応するカメラ１１３Ａ〜１１３Ｄが撮影状態にあるか否かを示す。表示情報４０４ｅが「カメラ入」の場合、当該映像に対応するカメラ１１３Ａ〜１１３Ｄが撮影状態であることを示し、表示情報４０４ｅが「カメラ切」の場合、当該映像に対応するカメラ１１３Ａ〜１１３Ｄが撮影状態でないことを示す。
【０１０７】
操作ボタン４０５には、ハンディフォン１１５の操作部１１６のボタンの配置と同一のボタンの配置が表示される。操作ボタン４０５は、監視ＯＦＦボタン４０５ａと、解除ボタン４０５ｂと、カメラ切替ボタン４０５ｃと、発信ボタン４０５ｄと、選択ボタン４０５ｅと、終了ボタン４０５ｆとを含む。また、操作ボタン４０５は、監視ＯＦＦボタン４０５ａ、解除ボタン４０５ｂ、カメラ切替ボタン４０５ｃ、発信ボタン４０５ｄ、選択ボタン４０５ｅ、及び終了ボタン４０５ｆのそれぞれに対応付けられた、当該ボタンのそれぞれを押すことで生じる操作の内容を含む。
【０１０８】
このように、テレビ電話通信時に、被監視側端末１１０において、相手端末から送信され、送受信部２０１により受信された映像データと、送受信部２０１により相手端末に送信された映像データとが、表示出音部２０５により同時に表示される。これにより、使用者は、現在送信している画像と、受信している画像とを同時に確認できるので、使用者の利便性が向上する。
【０１０９】
なお、テレビ電話通信時に相手端末へ送信される映像データは、カメラ１１３Ａで撮影された映像データ（カメラ映像４０４ａ）のみであってもよいし、４つの映像データのうち２以上であってもよい。
【０１１０】
また、テレビ電話通信時及び待機時において、操作ボタン４０５に操作部１１６に含まれるボタンに対応する画像と、当該ボタンのそれぞれに対応付け、当該ボタンのそれぞれを押すことで生じる操作の内容とが、表示出音部３０５により表示される。これにより、高齢者等の被監視者でも、テレビ電話通話の操作、及び後述する監視モード禁止設定等の動作を容易に行える。
【０１１１】
以下、被監視側端末１１０における通常のテレビ電話通信動作を説明する。
【０１１２】
使用者は、選択ボタン４０５ｅに対応する操作部１１６のボタンを上下に操作することで、電話帳４０２から通信相手を選択する。使用者は、通信相手を選択した状態で、発信ボタン４０５ｄに対応する操作部１１６のボタンを押すことで、相手端末への呼び出しが開始される。
【０１１３】
また、監視側端末１２０又は一般端末１５０からの着信があった場合、相手画像４０１に着信があったことを示すメッセージ及び画像のうち少なくとも一方が表示される。その後、使用者が発信ボタン４０５ｄに対応する操作部１１６のボタンを押すことで、テレビ電話通信が開始される。
【０１１４】
また、テレビ電話通信中に使用者が終了ボタン４０５ｆに対応する操作部１１６のボタンを押すことで、テレビ電話通信が終了する。
【０１１５】
また、使用者は、予め定められた操作部１１６のボタンを押すことにより、着信履歴を表示できる。
【０１１６】
図６は、着信履歴の表示例を示す図である。
【０１１７】
使用者は、着信履歴に表示される着信又は発信を示す履歴の項目を、選択ボタン４０５ｅに対応する操作部１１６のボタンを操作することで選択したのち、発信ボタン４０５ｄに対応する操作部１１６のボタンを押すことで、選択した着信又は発信履歴の相手への呼び出しを開始できる。
【０１１８】
なお、上記テレビ電話通信動作及び着信履歴表示動作は、ユーザ操作取得部２０３を介した使用者の操作に基づき、通信制御部２０４により行われる。
【０１１９】
次に、被監視側端末１１０における監視モード禁止設定動作を説明する。
【０１２０】
図７は、監視モード禁止設定操作時の画面例を示す図である。
【０１２１】
使用者が監視ＯＦＦボタン４０５ａに対応する操作部１１６のボタンを押すことで、相手画像４０１に図７に示す画面が表示される。当該画面が表示されている状態で、使用者が、発信ボタン４０５ｄに対応する操作部１１６のボタンを押すことで、現在の時刻から指定された第２設定時間２２４の間、監視モードが禁止される。例えば、図７に示す例では、現在の時刻から１５分間、監視モードが禁止される。
【０１２２】
また、図７に示す画面が表示されている状態で、使用者が監視ＯＦＦボタン４０５ａに対応する操作部１１６のボタンを押すごとに、監視モードを禁止する第２設定時間が変更され、変更後の時間が画面に表示される。例えば、使用者が監視ＯＦＦボタン４０５ａに対応する操作部１１６のボタンを押すごとに、監視モードを禁止する第２設定時間が、１５分、３０分、４５分、６０分、９０分、１２０分、無制限に順次変更される。
【０１２３】
具体的には、使用者による上記操作により、ユーザ操作取得部２０３は、監視モードの禁止が設定されたことを示す監視禁止情報と、第２設定時間２２４とを取得し、取得した監視禁止情報及び第２設定時間２２４とを監視禁止部２１３に送る。監視禁止部２１３は、監視禁止情報を受け取ると、保持する監視状態２２３を禁止状態に変更する。また、監視禁止部２１３は、第２設定時間２２４を保持したうえ、第２設定時間２２４が経過したのち、保持する監視状態２２３を許可状態に変更する。つまり、監視禁止部２１３は、使用者により監視モードの禁止設定が行われた時刻から、使用者により設定された第２設定時間２２４の間、監視モードでの映像データの送信を禁止する。
【０１２４】
図８は、監視モード禁止中の画面例を示す図である。
【０１２５】
監視モードが禁止されている間、相手画像４０１に図８に示す画面が表示される。監視モードの禁止中に、使用者が解除ボタン４０５ｂに対応する操作部１１６のボタンを押すことで、監視モードの禁止が解除される。具体的には、使用者による禁止モード禁止解除の操作に応じて、監視禁止部２１３は、監視状態２２３を許可状態に変更する。
【０１２６】
以上により、使用者は、監視モード禁止の設定を行った時刻から指定した第２設定時間２２４の間、監視モードを禁止できる。
【０１２７】
また、使用者は、開始時刻を指定して監視モードを禁止できる。
【０１２８】
図９は、開始時刻を指定した監視モード禁止設定動作時の画面例を示す図である。
【０１２９】
使用者が、予め定められた操作部１１６のボタンを押すことにより、図９に示す画像が表示される。
【０１３０】
使用者は、図９に示す画面４１０において、拒否開始時刻４１１及び拒否終了時刻４１２を設定することで、任意の時刻から任意の時刻まで監視モードを禁止できる。
【０１３１】
また、使用者は、拒否する理由４１３を複数の予め定められた理由から選択する。使用者により選択された理由は、監視モード禁止時に、監視側端末１２０から監視モードの起動要求があった場合に、監視側端末１２０に表示される。なお、拒否する理由４１３は、使用者により任意の文字列が入力されてもよい。
【０１３２】
監視禁止部２１３は、使用者の操作により設定された拒否開始時刻４１１、拒否終了時刻４１２及び拒否する理由４１３を、ユーザ操作取得部２０３を介して取得し、取得した拒否開始時刻４１１、拒否終了時刻４１２及び拒否する理由４１３を保持する。これにより、当該設定が解除されるまで、監視禁止部２１３は、毎日同じ時刻に監視モードを禁止する。また、監視禁止部２１３は、拒否開始時刻４１１、拒否終了時刻４１２及び拒否する理由４１３を一組とする複数の設定を保持する。
【０１３３】
監視禁止部２１３は、現在の時刻が拒否開始時刻４１１になると、監視状態２２３を禁止状態に変更する。また、監視禁止部２１３は、現在の時刻が拒否終了時刻４１２になると監視状態２２３を許可状態に変更する。これにより、監視禁止部２１３は、拒否開始時刻４１１から拒否終了時刻４１２までの間、監視モードを禁止する。
【０１３４】
なお、上述した現在の時刻から第２設定時間２２４の間、監視モードが禁止する場合においても、拒否する理由４１３が使用者により設定され、拒否する理由４１３が監視禁止部２１３に保持されてもよい。
【０１３５】
次に、被監視側端末１１０におけるカメラ表示禁止設定動作を説明する。
【０１３６】
図１０は、カメラ禁止操作時の画面例を示す図である。
【０１３７】
通話していない状態で、使用者がカメラ切替ボタン４０５ｃに対応する操作部１１６のボタンを押すことで、相手画像４０１に図１０に示す画面が表示される。次に、使用者が、発信ボタン４０５ｄに対応する操作部１１６のボタンを押すことで、カメラ１１３Ｂ〜１１３Ｄの表示／非表示が切替えられる。ここで、表示／非表示とは、監視モードにおいて監視側端末１２０にカメラ１１３Ｂ〜１１３Ｄで撮影された映像データを送信する／送信しないを意味する。例えば、図１０に示す画面が表示されている間に、使用者が、発信ボタン４０５ｄに対応する操作部１１６のボタンを押すことで、カメラ２（１１３Ｂ）の表示／非表示が切替えられる。
【０１３８】
また、図１０に示す画面が表示されている間に、使用者が、さらに、カメラ切替ボタン４０５ｃに対応する操作部１１６のボタンを押すことで、表示／非表示を切替えるカメラ１１３Ｂ〜１１３Ｄが順次変更される。
【０１３９】
具体的には、使用者による上記操作により、ユーザ操作取得部２０３は、カメラ１１３Ｂ〜１１３Ｄの状態がそれぞれに対して表示状態に切替えられたことを示す表示情報、及び非表示状態に切替えられたことを示す非表示情報を取得する。ユーザ操作取得部２０３は、取得した表示情報及び非表示情報を映像禁止部２１２に送る。
【０１４０】
映像禁止部２１２は、表示情報を受けた場合、当該表示情報に対応するカメラ１１３Ｂ〜１１３Ｄで撮影された映像データに対応する映像状態２２２を許可状態に変更する。また、映像禁止部２１２は、非表示情報を受けた場合、当該非表示情報に対応するカメラ１１３Ｂ〜１１３Ｄで撮影された映像データに対応する映像状態２２２を禁止状態に変更する。
【０１４１】
これにより、被監視側端末１１０は、使用者の操作により設定された映像状態２２２に基づき、複数のカメラ１１３で撮影された映像データのなかから、送信が禁止されていない映像データのみを、監視側端末１２０へ送信する。
【０１４２】
なお、カメラ１１３Ａは、常に表示状態であり、表示／非表示の切り替えはできないとしてもよい。この場合、映像禁止部２１２は、カメラ１１３Ａで撮影された映像データに対応する映像状態２２２を保持せずに、カメラ１１３Ｂ〜１１３Ｄで撮影された映像データにそれぞれ対応する３つの映像状態２２２のみを保持してもよい。
【０１４３】
次に、テレビ電話システム１００における監視モード時の動作を説明する。
【０１４４】
図１１は、被監視側端末１１０における監視モード時の動作の流れを示すフローチャートである。
【０１４５】
まず、被監視側端末１１０の送受信部２０１は、監視側端末１２０からの呼び出しを受信する（Ｓ１０１）。
【０１４６】
次に、呼び出し判定部２１１は、監視側端末１２０からの呼び出しが保持する第１設定時間２２１（例えば、３０秒間）継続されたか否かを判定する（Ｓ１０２）。
【０１４７】
第１設定時間２２１が経過する前に、被監視側端末１１０で応答があった場合（Ｓ１０２でＮｏ）、つまり、使用者により発信ボタン４０５ｄに対応する操作部１１６のボタンが押された場合、監視側端末１２０と被監視側端末１１０との間でテレビ電話通信が開始される（Ｓ１０３）。
【０１４８】
一方、第１設定時間２２１が経過しても、被監視側端末１１０の応答がなく、呼び出し判定部２１１により、監視側端末１２０からの呼び出しが第１設定時間２２１継続されたと判定された場合（Ｓ１０２でＹｅｓ）、次に、認証部２１４は、当該呼び出しを行っているテレビ電話端末が、監視側端末１２０であるか否かを認証する（Ｓ１０４）。
【０１４９】
具体的には、認証部２１４は、送受信部２０１を介して、監視側端末１２０にパスワードを要求する信号を送信する。監視側端末１２０の通信制御部３０４は、送受信部３０１を介して、被監視側端末１１０から送信された信号を受け取り、監視者にパスワードの入力を要求するメッセージを表示出音部３０５に表示させる。
【０１５０】
図１２は、表示出音部３０５により表示されるパスワード入力画面の一例を示す図である。監視側端末１２０において監視者がパスワードを入力すると、当該パスワードの情報は、ユーザ操作取得部３０３を介して通信制御部３０４に送られる。通信制御部３０４は、当該パスワードの情報を、送受信部３０１を介して、被監視側端末１１０に送信する。
【０１５１】
認証部２１４は、監視側端末１２０により送信されたパスワードの情報を、送受信部２０１を介して取得する。認証部２１４は、取得したパスワードの情報と、予め設定され保持しているパスワードとを比較し、一致する場合は認証ＯＫ、一致しない場合は認証ＮＧと判定する。
【０１５２】
なお、認証部２１４は、パスワードに加え、ユーザＩＤ等を用いて、認証を行ってもよい。
【０１５３】
また、認証部２１４は、呼び出しを行っているテレビ電話端末の情報（例えば、ＭＡＣアドレス）を取得し、当該テレビ電話端末の情報が予め設定されたテレビ電話端末の情報と一致するか否かに基づき認証を行ってもよい。
【０１５４】
認証部２１４により認証ＮＧと判定された場合（Ｓ１０４でＮｏ）、通信は切断され、監視モードは起動されない。
【０１５５】
一方、認証部２１４により認証ＯＫと判定された場合（Ｓ１０４でＹｅｓ）、かつ監視禁止部２１３に保持される監視状態２２３が禁止状態である場合（Ｓ１０５でＮｏ）、監視禁止部２１３は、監視モードが禁止されている旨を示すメッセージを表示させる信号を、送受信部２０１を介して、監視側端末１２０に送信する（Ｓ１０６）。また、当該メッセージには、拒否する理由４１３に設定された理由も含まれる。
【０１５６】
監視側端末１２０は、被監視側端末１１０から送信された信号を受信し、監視モードが禁止されている旨を示すメッセージを監視者に表示する。
【０１５７】
図１３は、監視モード禁止中に監視者に表示されるメッセージの一例を示す図である。例えば、拒否する理由４１３として「外出中」が設定されている場合、表示出音部３０５は、図１３に示すメッセージが表示する。
【０１５８】
一方、認証部２１４により認証ＯＫと判定された場合（Ｓ１０４でＹｅｓ）、かつ監視禁止部２１３に保持される監視状態２２３が許可状態である場合（Ｓ１０５でＹｅｓ）、監視禁止部２１３は、監視モードの実行を許可する。次に、映像禁止部２１２は、４つのカメラ１１３Ａ〜１１３Ｄにより撮影された４つの映像データのうち、対応する映像状態２２２が許可状態の映像データを選択する（Ｓ１０７）。例えば、カメラ１１３Ａ〜１１３Ｃで撮影された映像データに対応する映像状態２２２が許可状態であり、カメラ１１３Ｄで撮影された映像データに対応する映像状態２２２が禁止状態の場合、映像禁止部２１２は、カメラ１１３Ａ〜１１３Ｃにより撮影された３つの映像データを選択する。
【０１５９】
映像合成部２１５は、映像禁止部２１２により選択されたカメラ１１３Ａ〜１１３Ｃにより撮影された３つの映像データを合成することで１つの映像データを生成する（Ｓ１０８）。映像合成部２１５は、生成した映像データを、送受信部２０１を介して、監視側端末１２０へ送信する（Ｓ１０９）。
【０１６０】
監視側端末１２０の通信制御部３０４は、送受信部３０１を介して、被監視側端末１１０から送信された映像データを受信する。通信制御部３０４は、受信した映像データを表示出音部３０５に表示させる。
【０１６１】
図１４は、監視モードにおいて監視側端末１２０に表示される画面例を示す図である。
【０１６２】
図１４に示すように、監視側端末１２０において表示出音部３０５により表示される画面は、監視画像５０１と、自画像５０２と、メッセージ５０３と、表示カメラ５０４と、操作ボタン５０５とを含む。
【０１６３】
監視画像５０１は、監視側端末１２０により送信された映像データが表示される。
【０１６４】
自画像５０２は、カメラ１２２により撮影された映像データが表示される。
【０１６５】
メッセージ５０３は、動作状態を示すメッセージが表示される。
【０１６６】
表示カメラ５０４は、現在表示している被監視側端末１１０のカメラ１１３の番号が表示される。
【０１６７】
操作ボタン５０５は、全てボタン５０５ａと、カメラボタン５０５ｂ〜５０５ｅと、終了ボタン５０５ｆとを含む。
【０１６８】
監視者によるマウス等の操作により、全てボタン５０５ａが選択されることで、監視画像５０１に４つのカメラ１１３Ａ〜１１３Ｄで撮影された４つの画像が４分割で表示される。
【０１６９】
監視者によるマウス等の操作により、カメラボタン５０５ｂ〜５０５ｅのいずれかが選択されることで、監視画像５０１に選択されたカメラボタン５０５ｂ〜５０５ｅに対するカメラ１１３Ａ〜１１３Ｄで撮影された画像が拡大表示される。
【０１７０】
監視者によるマウス等の操作により、終了ボタン５０５ｆが選択されることで、監視モードが終了する。
【０１７１】
なお、監視側端末１２０における、上記監視モード時の動作は、ユーザ操作取得部３０３を介した使用者の操作に基づき、通信制御部３０４により行われる。
【０１７２】
また、監視モード中に、被監視者が応答した場合、つまり被監視者が被監視側端末１１０の発信ボタン４０５ｄに対応する操作部１１６のボタンを押した場合、監視モードは終了され、通常のテレビ電話通信が開始される。
【０１７３】
次に、テレビ電話システム１００における緊急モード（エマージェンシーコール）について説明する。
【０１７４】
緊急モードは、被監視側端末１１０を使用する被監視者に緊急を要する事態が発生した場合に、複数の緊急連絡先のテレビ電話端末を順次呼び出すモードである。
【０１７５】
図１５は、緊急モードにおける被監視側端末１１０の動作の流れを示すフローチャートである。ここでは、緊急連絡先のテレビ電話端末として、連絡先記憶部２０７に３つのテレビ電話端末が登録されているとする。
【０１７６】
まず、ユーザ操作取得部２０３は、被監視者による緊急モードに対応した操作を取得する。例えば、被監視者は、図２に示すエマージェンシーコールボタン１１６Ａを２回連続で押すことで、緊急モードが開始する。
【０１７７】
被監視者により緊急モードに対応した操作が入力されると、緊急時制御部２０６は、通信制御部２０４及び送受信部２０１を制御することにより、第１連絡先（例えば、長男が使用する監視側端末１２０Ａ）に呼び出しを行う（Ｓ２０１）。
【０１７８】
呼び出しを受けた監視側端末１２０Ａでは、当該呼び出しがエマージェンシーコールであることを示す、通常の呼び出しとことなる専用の着信音が出音される。
【０１７９】
第１連絡先が当該呼び出しに応答した場合、緊急通信が開始される。緊急通信においては、監視モード時と同様に、緊急時制御部２０６は、カメラ１１３で撮影された映像データを当該第１連絡先のテレビ電話端末に送信する。また、緊急通信においては、緊急時制御部２０６は、映像禁止部２１２に設定されている映像状態２２２及び監視禁止部２１３に設定されている監視状態２２３に依存せずに、全てのカメラ１１３で撮影された映像データを、映像音声取得部２０２、通信制御部２０４及び送受信部２０１を制御することにより、当該第１連絡先のテレビ電話端末に送信する（Ｓ２０７）。
【０１８０】
また、緊急通信時には、緊急時制御部２０６は、複数のカメラで撮影された映像データの送信のみでなく、音声データも送信する。また、緊急連絡先のテレビ電話端末からの音声及び映像が被監視側端末１１０に表示及び出音される。
【０１８１】
また、緊急通信時には、被監視側端末１１０からの操作により、当該被緊急通信を切断できない。これにより、緊急の状態にある被監視者による誤操作により切断が中断されることを防止できる。
【０１８２】
一方、第１連絡先からの応答が予め定められた時間（例えば３０秒）の間ない場合（Ｓ２０２でＮｏ）、緊急時制御部２０６は、第１連絡先への呼び出しを中断し、次に、第２連絡先（例えば「長女」）に呼び出しを行う（Ｓ２０３）。
【０１８３】
さらに、第２連絡先からの応答が予め定められた時間の間ない場合（Ｓ２０４でＮｏ）、緊急時制御部２０６は、第２連絡先への呼び出しを中断し、次に、第３連絡先（例えば「管理人」）に呼び出しを行う（Ｓ２０５）。
【０１８４】
さらに、第３連絡先からの応答が予め定められた時間の間ない場合（Ｓ２０６でＮｏ）つまり複数の緊急連絡先のテレビ端末の全てに対して応答がない場合、緊急時制御部２０６は、第３連絡先への呼び出しを中断し、次に、再度、第１連絡先に呼び出しを行う（Ｓ２０１）。
【０１８５】
このように、緊急時制御部２０６は、複数の緊急連絡先のテレビ電話端末へ、応答があるまで、順次繰り返し呼び出しを行う。
【０１８６】
一方、第２連絡先又は第３連絡先のテレビ電話端末の応答があった場合（Ｓ２０４でＹｅｓ、Ｓ２０６でＹｅｓ）、当該第２連絡先又は第３連絡先のテレビ電話端末に対して映像データが送信される（Ｓ２０７）。
【０１８７】
ここで、連絡先記憶部２０７に記憶される緊急連絡先とは、例えば、図２に示す電話帳４０２に登録されているテレビ電話端末のうち、緊急連絡先に設定された１以上のテレビ電話端末である。なお、電話帳４０２とは別に、連絡先記憶部２０７が緊急連絡先のテレビ電話端末の情報を記憶してもよい。
【０１８８】
また、緊急連絡先とは、電話帳４０２に登録されているテレビ電話端末のうちオンライン状態にあるテレビ電話端末であってもよい。この場合、緊急時制御部２０６は、被監視側端末１１０が備える電話帳４０２の情報を記憶する記憶部（図示せず）から緊急連絡先のテレビ電話端末（電話帳４０２に登録されているテレビ電話端末のうちオンライン状態にあるテレビ電話端末）の情報を取得してもよい。さらに、この場合、緊急時制御部２０６は、連絡先記憶部２０７を備えなくてもよい。
【０１８９】
また、緊急時制御部２０６は、緊急モードを開始するための専用のボタンが１回押された場合に、緊急モードを開始してもよい。
【０１９０】
また、被監視側端末１１０は、相手端末との間で映像及び音声の送信する第１通信モードと、映像のみを送信する第２通信モードと、音声のみを送信する第３通信モードとを選択的に行う。当該第１通信モード、第２通信モード及び第３通信モードの制御は、通信制御部２０４により行われる。
【０１９１】
例えば、ユーザ操作取得部２０３を介した使用者の操作に基づき、第１通信モード、第２通信モード及び第３通信モードのいずれかが設定される。
【０１９２】
第１通信モードにおいて、通信制御部２０４は、映像音声取得部２０２により取得された映像データ及び音声データを、送受信部２０１を介して、相手端末に送信する。
【０１９３】
第２通信モードにおいて、通信制御部２０４は、映像音声取得部２０２により取得された映像データを、送受信部２０１を介して、相手端末に送信し、音声データを相手端末に送信しない。例えば、相手端末の使用者が、耳が不自由等の場合に第２通信モードを用いることで、被監視側端末１１０から相手端末へ送信するデータ量を削減できる。
【０１９４】
第３通信モードにおいて、通信制御部２０４は、映像音声取得部２０２により取得された音声データを、送受信部２０１を介して、相手端末に送信し、映像データを相手端末に送信しない。例えば、使用者が通話の相手に映像を送信したくない場合には、第３通信モードを用いることで音声のみを送信できる。これにより、被監視側端末１１０は、相手端末へ送信するデータ量を削減できる。
【０１９５】
以上より、本考案の実施の形態に係るテレビ電話システム１００において、被監視者の応答がない場合、被監視側端末１１０の複数のカメラ１１３により撮影された映像データが、監視側端末１２０に表示される。
【０１９６】
これにより、被監視者に不測の事態が生じ、被監視者がテレビ電話に出られない場合でも、監視者は、被監視者の様子を知ることができる。
【０１９７】
また、テレビ電話システム１００では、パスワード等を用いて、監視側端末１２０が予め設定された監視者である場合にのみ、監視モードを起動する。これにより、第３者は、被監視者の自宅の映像を取得できないので、被監視者のプライバシーを保護できる。
【０１９８】
また、テレビ電話システム１００では、被監視側端末１１０において、監視モード時に送信する映像データを複数の映像データから選択できる。これにより、被監視者は、監視者に見られたくない映像データの送信を禁止できるので、被監視者のプライバシーを保護できる。
【０１９９】
また、テレビ電話システム１００では、被監視側端末１１０において、監視モード自体を禁止できるので、被監視者のプライバシーを保護できる。
【０２００】
さらに、テレビ電話システム１００では、監視モードの禁止時に、監視モードが禁止されている旨及びその理由が監視側端末１２０に表示される。これにより、被監視者が応答できないことによる、監視者の杞憂を低減できる。
【０２０１】
また、テレビ電話システム１００では、被監視者は、監視モードを禁止する第２設定時間２２４を任意に設定できる。これにより、被監視者の利便性を向上できる。
【０２０２】
さらに、被監視者の予定に応じた第２設定時間２２４を設定することで、不測の事態が生じた場合には、第２設定時間の経過後に、監視モードを起動できる。例えば、被監視者は、入浴又は庭で体操を行う等の場合に、例えば、３０分間のみ監視モードを禁止する。これにより、入浴中に、監視者から呼び出しがあった場合には、入浴中の旨を示すメッセージが監視者に表示されるので、監視者の杞憂を低減できる。また、万が一、不測の事態が生じた場合には、３０分後には監視モードが起動されるので、監視者は、被監視者の不測の事態をいち早く発見できる。
【０２０３】
さらに、被監視者の生活習慣に合わせて、監視モードを禁止する拒否開始時刻４１１及び拒否終了時刻４１２を設定することで、被監視者は、外出毎に毎回、監視モード禁止の設定を行う必要がなく、被監視者の利便性を向上できる。例えば、毎日、決まった時刻に散歩又は買い物等のため外出する場合には、当該時刻を設定することで、外出毎に毎回、監視モード禁止の設定を行う必要がない。
【０２０４】
また、テレビ電話システム１００では、緊急時に複数の緊急連絡先を順次呼び出す緊急モードを有する。これにより、被監視者は、緊急の事態が生じた場合には、１つの操作で、複数の緊急連絡先のいずれかが応答するまで、連続して呼び出しを行える。
【０２０５】
さらに、被監視側端末１１０は、緊急通信時には、全ての映像データ及び音声データを連絡先の端末に送信する。これにより、連絡先の端末において、緊急時において被監視者の様子を詳細に把握できる。
【０２０６】
また、被監視側端末１１０におけるテレビ電話通信及び監視モードの機能は、ＳＴＢ１１１により実現される。これにより、被監視者の自宅等において、通常のテレビ受信機等にＳＴＢ１１１を接続するだけで、容易にテレビ電話システム１００を確立できる。
【０２０７】
また、被監視側端末１１０は、操作部１１６と、受話器が一体となった、ハンディフォン１１５を備える。これにより、高齢者等の被監視者にも、操作部１１６のボタンを操作するだけの簡単な操作で、テレビ電話による通話、及び監視モードの設定が容易に行える。
【０２０８】
また、被監視側端末１１０において、操作部１１６のボタンを示す画像と、当該画像に対応付けられ、当該画像のボタンを押すことで生じる操作の内容とが表示される。これより、高齢者等の被監視者にも、操作部１１６のボタンを操作するだけの簡単な操作で、テレビ電話による通話、及び監視モードの設定が容易に行える。
【０２０９】
以上、本考案の実施の形態に係るテレビ電話システム１００について説明したが、本考案は、この実施の形態に限定されるものではない。
【０２１０】
例えば、上記説明では、テレビ電話システム１００は、管理サーバ１３０を含むとしたが、管理サーバ１３０を含まず、被監視側端末１１０、監視側端末１２０及び一般端末１５０がそれぞれ通信相手の端末と直接テレビ電話通信を用いてもよい。
【０２１１】
また、上記説明では、監視側端末１２０及び一般端末１５０の構成は、ＰＣ１２１等を含む構成としたが、本考案はこれに限定されるものではない。例えば、監視側端末１２０及び一般端末１５０の構成は、被監視側端末１１０と同様にＳＴＢ等を含む構成であってもよい。
【０２１２】
また、上記説明では、被監視側端末１１０は、スピーカ１１４を備えるとしたが、テレビ受信機（モニタ１１２）に内蔵されたスピーカから着信音等を出音してもよい。
【０２１３】
また、上記説明では、監視モードにおいて、被監視側端末１１０は、映像合成部２１５により合成された１つの映像データを監視側端末１２０へ送信するとしたが、複数の映像データをそのまま送信してもよい。
【０２１４】
また、テレビ電話通信時において、被監視側端末１１０が、複数のカメラ１１３で撮影された複数の映像データを送信する場合、被監視側端末１１０は、映像合成部２１５により当該複数の映像データを１つの映像データに合成し、合成した映像データを相手端末に送信してもよい。
【０２１５】
また、図９に示す拒否開始時刻４１１、拒否終了時刻４１２及び拒否する理由４１３の設定は、他の操作に比べ、比較的複雑であるので、監視側端末１２０からの操作により行ってもよい。この場合、監視側端末１２０からのアクセスに対して、上述した認証部２１４による機器認証が行われ、認証ＯＫの場合に、図９に示す画面が監視側端末１２０に表示され、監視側端末１２０で設定が行われる。
【０２１６】
また、上記説明では、４つのカメラ１１３で撮影された複数の映像データは、映像合成部２１５により合成されたうえで、監視側端末１２０へ送信するとしたが、当該合成を行わずに複数の映像データを監視側端末１２０へ送信してもよい。
【０２１７】
また、本考案は、テレビ電話システム１００、及びテレビ電話システム１００に含まれるテレビ電話端末（被監視側端末１１０及び監視側端末１２０）として実現できるだけでなく、テレビ電話システム１００、被監視側端末１１０又は監視側端末１２０に含まれる特徴的な処理部の機能を行うテレビ電話システムの制御方法、又はテレビ電話端末の制御方法として実現できる。さらに、そのようなテレビ電話システムの制御方法、又はテレビ電話端末の制御方法をコンピュータに実行させるプログラムとして実現できる。そして、そのようなプログラムは、ＣＤ−ＲＯＭ等の記録媒体及びインターネット等の伝送媒体を介して流通させることができるのは言うまでもない。
【産業上の利用可能性】
【０２１８】
本考案は、テレビ電話端末及びテレビ電話システムに適用でき、特に、遠距離に住む被監視者をみまもるために用いられるテレビ電話システムに適用できる。
【図面の簡単な説明】
【０２１９】
【図１】本考案の実施の形態に係るテレビ電話システムの構成を示す図である。
【図２】本考案の実施の形態に係るハンディフォンの構成を示す図である。
【図３】本考案の実施の形態に係る被監視側端末の構成を示すブロック図である。
【図４】本考案の実施の形態に係る監視側端末の構成を示すブロック図である。
【図５】本考案の実施の形態に係る被監視側端末における表示例を示す図である。
【図６】本考案の実施の形態に係る被監視側端末における着信履歴の表示例を示す図である。
【図７】本考案の実施の形態に係る被監視側端末における監視モード禁止設定操作時の画面例を示す図である。
【図８】本考案の実施の形態に係る被監視側端末における監視モード禁止中の画面例を示す図である。
【図９】本考案の実施の形態に係る被監視側端末における開始時刻を指定した監視モード禁止設定動作時の画面例を示す図である。
【図１０】本考案の実施の形態に係る被監視側端末におけるカメラ表示禁止操作時の画面例を示す図である。
【図１１】本考案の実施の形態に係る被監視側端末における監視モード時の動作の流れを示すフローチャートである。
【図１２】本考案の実施の形態に係る監視側端末に表示されるパスワード入力画面の一例を示す図である。
【図１３】本考案の実施の形態に係る監視側端末において監視モード禁止中に表示されるメッセージの一例を示す図である。
【図１４】本考案の実施の形態に係る被監視側端末において監視モード時に表示される画面例を示す図である。
【図１５】本考案の実施の形態に係る被監視側端末における、緊急モード時の動作の流れを示すフローチャートである。
【符号の説明】
【０２２０】
１００  テレビ電話システム
１１０  被監視側端末
１１１  セットトップボックス（ＳＴＢ）
１１２  モニタ
１１３、１１３Ａ、１１３Ｂ、１１３Ｃ、１１３Ｄ、１２２  カメラ
１１４  スピーカ
１１５  ハンディフォン
１１６  操作部
１１６Ａ  エマージェンシーコールボタン
１１７  出音部
１１８  音声取得部
１２０、１２０Ａ、１２０Ｂ  監視側端末
１２１  パーソナルコンピュータ（ＰＣ）
１２３  受話部
１３０  管理サーバ
１４０  ネットワーク
１５０  一般端末
２０１、３０１  送受信部
２０２、３０２  映像音声取得部
２０３、３０３  ユーザ操作取得部
２０４、３０４  通信制御部
２０５、３０５  表示出音部
２０６  緊急時制御部
２０７  連絡先記憶部
２１０  監視制御部
２１１  呼び出し判定部
２１２  映像禁止部
２１３  監視禁止部
２１４  認証部
２１５  映像合成部
２２１  第１設定時間
２２２  映像状態
２２３  監視状態
２２４  第２設定時間
４０１  相手画像
４０２  電話帳
４０３  音量
４０４  自画像
４０４ａ、４０４ｂ、４０４ｃ、４０４ｄ  カメラ映像
４０４ｅ  表示情報
４０５  操作ボタン
４０５ａ  監視ＯＦＦボタン
４０５ｂ  解除ボタン
４０５ｃ  カメラ切替ボタン
４０５ｄ  発信ボタン
４０５ｅ  選択ボタン
４０５ｆ  終了ボタン
４１０  画面
４１１  拒否開始時刻
４１２  拒否終了時刻
４１３  拒否する理由
５０１  監視画像
５０２  自画像
５０３  メッセージ
５０４  表示カメラ
５０５  操作ボタン
５０５ａ  全てボタン
５０５ｂ、５０５ｃ、５０５ｄ、５０５ｅ  カメラボタン
５０５ｆ  終了ボタン
【図１】
0003143731.tif 000003
【図２】
0003143731.tif 000004
【図３】
0003143731.tif 000005
【図４】
0003143731.tif 000006
【図５】
0003143731.tif 000007
【図６】
0003143731.tif 000008
【図７】
0003143731.tif 000009
【図８】
0003143731.tif 000010
【図９】
0003143731.tif 000011
【図１０】
0003143731.tif 000012
【図１１】
0003143731.tif 000013
【図１２】
0003143731.tif 000014
【図１３】
0003143731.tif 000015
【図１４】
0003143731.tif 000016
【図１５】
0003143731.tif 000017